(57)【要約】【課題】  タブレットコンピュータの調整式クレードルの提供。【解決手段】  底座にスライド凹溝が凹設され並びにそのなかに複数の係止溝が設けられ、且つスライド凹溝の両側壁の複数の係止溝に対応する位置に位置決め孔が設けられ、サポートフレームの後端が選択的に係止溝内に係止され、且つ後端の二側より突出する位置決め突起が位置決め孔中に挿入されて位置決めされる。底座、背部サポートフレーム、及びサポートフレームの三者が相互に枢設され、ゆえに三角形のリンク構造が形成される。サポートフレームの弾性部品に圧力をかける時、位置決め突起を内縮させて位置決め孔中より抜き取ってサポートフレームをスライド凹溝中で前後にスライドさせ、並びに選択的に他の係止溝と位置決め孔中に係止することで、背部サポートフレームと底座間に異なる角度の位置決め状態を形成させることができる。【選択図】        図１
2006072958.tif 000002
【特許請求の範囲】
【請求項１】
タブレットコンピュータの調整式クレードルであり、底座、背部サポートフレーム及びサポートフレームを具え、
該底座は上表面の前段に枢設部が設けられ、並びに該底座の中段にスライド凹溝が凹設され、スライド凹溝内の底面に少なくとも二つの係止溝が設置され、該スライド凹溝の二側壁に少なくとも２対の位置決め孔が設けられてそれが上述の係止溝の一つに対応し、
該背部サポートフレームは底端の結合部、前部に設けられたパネルサポートフレーム、及び背部に設けられた二つの枢設孔を具え、該結合部は底座の枢設部に枢設され、
該サポートフレームは前端に回転軸が設けられ、並びに後端の二側に位置決め突起が凸設され、並びにサポートフレームの中段に弾性部品が設けられ、該回転軸は背部サポートフレームの枢設孔内に枢設され、各位置決め突起が弾性部品に連設され、該弾性部品が弾力を提供して二つの位置決め突起を外向きにサポートフレームの外部に突出させ、且つ弾性部品は圧力を受けることで二つの位置決め突起を内向きにサポートフレーム内に縮入させる、
上記タブレットコンピュータの調整式クレードルにおいて、
サポートフレームの後端が選択的にスライド凹溝のそのうち一つの係止溝内に係止され、且つ二つの位置決め突起がその係止溝に対応する一対の位置決め孔中に挿入されることで位置決めされることを特徴とする、タブレットコンピュータの調整式クレードル。
【請求項２】
請求項１記載のタブレットコンピュータの調整式クレードルにおいて、スライド凹溝の二側壁に更に平行スライドレールが設けられたことを特徴とする、タブレットコンピュータの調整式クレードル。
【請求項３】
請求項２記載のタブレットコンピュータの調整式クレードルにおいて、平行スライドレールの後端に開口が開設され、二つの位置決め突起が上述の二つの開口を通り底座より離脱可能とされたことを特徴とする、タブレットコンピュータの調整式クレードル。
【請求項４】
請求項１記載のタブレットコンピュータの調整式クレードルにおいて、背部サポートフレームに収納空間が凹設され、サポートフレームが該収納空間内に収納可能とされたことを特徴とする、タブレットコンピュータの調整式クレードル。
【請求項５】
請求項４記載のタブレットコンピュータの調整式クレードルにおいて、背部サポートフレームの二つの枢設孔が収納空間内に凹設されたことを特徴とする、タブレットコンピュータの調整式クレードル。
【請求項６】
請求項１記載のタブレットコンピュータの調整式クレードルにおいて、背部サポートフレームのパネルサポートフレームにタブレットコンピュータが積載されることを特徴とする、タブレットコンピュータの調整式クレードル。
【発明の詳細な説明】
【技術分野】
【０００１】
本発明は一種の支持構造に係り、タブレットコンピュータの放置に適用される調整式クレードルに関する。
【背景技術】
【０００２】
デスクトップコンピュータの市場は飽和傾向にあり、ノートブック型コンピュータが高度に成長し、タブレットコンピュータが高度の携帯性、便利なタッチ入力及びデジタルインク等の機能により次世代の趨勢となっている。
【０００３】
一般に、使用者がタブレットコンピュータを保持して操作する時、使用者が定位に座り使用する時、タブレットコンピュータ自身は支持の装置を提供していないため、僅かに卓上に置くことしかできず、このため使用者の視角は制限を受ける。
【０００４】
これにより、既にタブレットコンピュータ専用のクレードルが提供されており、それは、底座、サポートフレーム、及びサポートアームを具え、相互の枢設関係によりタブレットコンピュータをある角度でクレードル上に立てることができる。しかしこのようなクレードルには欠点があり、即ち、使用者がこのクレードルを収納する時、その底座、サポートフレーム及びサポートアームの間に固定装置がなく、この三つの部品を固定形態で収納できず、このため携帯或いは収納上の問題を形成する。このほか、周知のクレードルの多くは視角調整の機能を具備せず、各使用者の必要に応じて弾性的に調整できず、理想的とは言えなかった。
【発明の開示】
【発明が解決しようとする課題】
【０００５】
本発明の主要な目的は、一種のタブレットコンピュータの調整式クレードルを提供することにあり、それは分段式にタブレットコンピュータの現出する視角を調節でき、多元化の使用要求を満足させられるものとする。
【０００６】
本発明のもう一つの目的は、一種のタブレットコンピュータの調整式クレードルを提供することにあり、サポートフレームを背部サポートフレーム中に収納でき、包装及び携帯に便利で、並びに収納後の体積を縮小できるものとする。
【課題を解決するための手段】
【０００７】
請求項１の発明は、タブレットコンピュータの調整式クレードルであり、底座、背部サポートフレーム及びサポートフレームを具え、
該底座は上表面の前段に枢設部が設けられ、並びに該底座の中段にスライド凹溝が凹設され、スライド凹溝内の底面に少なくとも二つの係止溝が設置され、該スライド凹溝の二側壁に少なくとも２対の位置決め孔が設けられてそれが上述の係止溝の一つに対応し、
該背部サポートフレームは底端の結合部、前部に設けられたパネルサポートフレーム、及び背部に設けられた二つの枢設孔を具え、該結合部は底座の枢設部に枢設され、
該サポートフレームは前端に回転軸が設けられ、並びに後端の二側に位置決め突起が凸設され、並びにサポートフレームの中段に弾性部品が設けられ、該回転軸は背部サポートフレームの枢設孔内に枢設され、各位置決め突起が弾性部品に連設され、該弾性部品が弾力を提供して二つの位置決め突起を外向きにサポートフレームの外部に突出させ、且つ弾性部品は圧力を受けることで二つの位置決め突起を内向きにサポートフレーム内に縮入させる、
上記タブレットコンピュータの調整式クレードルにおいて、
サポートフレームの後端が選択的にスライド凹溝のそのうち一つの係止溝内に係止され、且つ二つの位置決め突起がその係止溝に対応する一対の位置決め孔中に挿入されることで位置決めされることを特徴とする、タブレットコンピュータの調整式クレードルとしている。
請求項２の発明は、請求項１記載のタブレットコンピュータの調整式クレードルにおいて、スライド凹溝の二側壁に更に平行スライドレールが設けられたことを特徴とする、タブレットコンピュータの調整式クレードルとしている。
請求項３の発明は、請求項２記載のタブレットコンピュータの調整式クレードルにおいて、平行スライドレールの後端に開口が開設され、二つの位置決め突起が上述の二つの開口を通り底座より離脱可能とされたことを特徴とする、タブレットコンピュータの調整式クレードルとしている。
請求項４の発明は、請求項１記載のタブレットコンピュータの調整式クレードルにおいて、背部サポートフレームに収納空間が凹設され、サポートフレームが該収納空間内に収納可能とされたことを特徴とする、タブレットコンピュータの調整式クレードルとしている。
請求項５の発明は、請求項４記載のタブレットコンピュータの調整式クレードルにおいて、背部サポートフレームの二つの枢設孔が収納空間内に凹設されたことを特徴とする、タブレットコンピュータの調整式クレードルとしている。
請求項６の発明は、請求項１記載のタブレットコンピュータの調整式クレードルにおいて、背部サポートフレームのパネルサポートフレームにタブレットコンピュータが積載されることを特徴とする、タブレットコンピュータの調整式クレードルとしている。
【発明の効果】
【０００８】
本発明のタブレットコンピュータの調整式クレードルは、タブレットコンピュータの現出する視角を分段調節でき、多元化の使用要求を満足させられる。並びにサポートフレームを背部サポートフレーム中に収納でき、包装及び携帯に便利であり、並びに収納後の体積を減らせ、ゆえに本発明は周知の技術に較べて大きく進歩している。
【発明を実施するための最良の形態】
【０００９】
本発明は一種のタブレットコンピュータの調整式クレードルを提供し、それは、底座、背部サポートフレーム及びサポートフレームで組成される。本発明の底座は上表面の前段に枢設部が設けられ、並びに中段にスライド凹溝が凹設され、スライド凹溝内の底面に少なくとも二つの係止溝が設置され、且つスライド凹溝の二側壁に少なくとも２対の位置決め孔が設けられてそれが上述の係止溝の一つに対応する。背部サポートフレームは底端の結合部、前部に設けられたパネルサポートフレーム、及び背部に設けられた二つの枢設孔を具え、そのうち、結合部は底座の枢設部に枢設され、該サポートフレームは前端に回転軸が設けられ、並びに後端の二側に位置決め突起が凸設され、並びにサポートフレームの中段に弾性部品が設けられ、そのうち、回転軸が背部サポートフレームの枢設孔内に枢設され、各位置決め突起が弾性部品に連設され、それは弾力を提供して二つの位置決め突起を外向きにサポートフレームの外部に突出させ、且つ弾性部品は圧力を受けることで二つの位置決め突起を内向きにサポートフレーム内に縮入させる。本発明の特徴は、サポートフレームの後端が選択的にスライド凹溝の一つの係止溝内に係止され、且つ二つの位置決め突起がその係止溝に対応する一対の位置決め孔中に挿入されることで位置決めされることにある。
【００１０】
そのうち、スライド凹溝の二側壁に更に平行スライドレールが設けられ、且つ平行スライドレールの後端に開口が開設され、二つの位置決め突起が上述の二つの開口を通り底座より離脱可能とされる。このほか、本発明の背部サポートフレームに収納空間が凹設され、サポートフレームが該収納空間内に収納されうる。
【実施例１】
【００１１】
図１の立体図に示されるように、本実施例は、底座１、背部サポートフレーム２、及びサポートフレーム３の三者が三角形のリンク構造を形成し、必要により背部サポートフレーム２の視角を調整でき、並びに背部サポートフレーム２の前段のパネルサポートフレーム４によりタブレットコンピュータ５を支持する。
【００１２】
本実施例の底座１はその上表面１０の前段に枢設部１１が設けられ、中段にスライド凹溝１２が設けられている。図１に示されるように、スライド凹溝１２内の底面に複数の相互に平行な係止溝１３が設けられ、且つスライド凹溝１２の二側壁１２０に複数組の位置決め孔１４が凹設され、各組の位置決め孔１４はいずれも一つの係止溝１３に対応し、並びに二側壁１２０に平行スライドレール１５が設けられ、且つ平行スライドレール１５の後端に開口１６が開設されている。そのうち、係止溝１３の数量は使用の必要、可視角度の調整範囲、及びスライド凹溝１２の長さにより決定され、２個、３個、或いはそれ以上とされうる。
【００１３】
背部サポートフレーム２の底端には結合部２１があり、前部にはタブレットコンピュータ５を載置するパネルサポートフレーム４が固定され、背部には収納空間２３が凹設され、並びに収納空間２３内に二つの枢設孔２２が凹設されている。そのうち、結合部２１は底座１の枢設部１１に枢設されて、背部サポートフレーム２を該結合部２１に沿って回転させて底座１との間の夾角調整を行なうのに供される。
【００１４】
サポートフレーム３は前端に回転軸３１が設けられ、並びに後端の二側においてそれぞれ位置決め突起３２が突出し、並びにサポートフレーム３の中段に一組の弾性部品３３が設けられ、且つ各位置決め突起３２が弾性部品３３に連設され、弾性部品３３が提供する弾力により二つの位置決め突起３２が外向きにサポートフレーム３の外に突出し、弾性部品３３が圧力を受ける時に位置決め突起３２がサポートフレーム３内に内縮する。図１に示されるように、回転軸３１は背部サポートフレーム２の枢設孔２２内に枢設されて、サポートフレーム３を回転軸３１に沿って回転させ背部サポートフレーム２との間の夾角を調整するのに供される。サポートフレーム３の後端は選択的にスライド凹溝１２のそのうち一つの係止溝１３内に係合し、且つ二つの位置決め突起３２は対応する位置決め孔１４中に挿入され位置決めされる。
【００１５】
こうして、背部サポートフレーム２の結合部２１が底座１の枢設部１１に枢設され、サポートフレーム３の回転軸３１が背部サポートフレーム２の枢設孔２２内に枢設され、且つサポートフレーム３の後端が底座１の係止溝１３内に係止され、これにより底座１、背部サポートフレーム２、及びサポートフレーム３の三者間に三角形のリンク構造が形成される。必要により背部サポートフレーム２の仰角を調整したい時は、弾性部品３３に対して内向きにその弾力より大きな圧力を加え、弾性部品３３に二つの位置決め突起３２を牽引させて内縮させ、並びに対応する位置決め孔１４中より抜き取り、サポートフレーム３を二つの平行スライドレール１５に沿って前後にスライドさせ、選択的に適当な傾斜程度に調整した後、弾性部品３３を釈放して、位置決め突起３２を外向きに突出させてスライド凹溝１２中のその他の位置決め孔１４中に係合させ、並びにサポートフレーム３の底端を対応する係止溝１３に係止して固定する。
【００１６】
底座１、背部サポートフレーム２、及びサポートフレーム３を収納する時は、図２の局部拡大図に示されるように、本実施例の平行スライドレール１５の後端に開口１６が設けられているため、位置決め突起３２をこの二つの開口１６に通して上に引き上げると、サポートフレーム３は前端の回転軸３１のみが背部サポートフレーム２の枢設孔２２内に枢設され、後端は底座１との接続より離脱する。このほか、背部サポートフレーム２の背部に収納空間２３が凹設され、図３に示されるように、ゆえにサポートフレーム３がそのなかに収容可能とされる。図４に示されるように、背部サポートフレーム２の結合部２１は底座１の枢設部１１を軸として下向きに回転可能で、背部サポートフレーム２と底座１を収納し、これにより収納体積を減らせ、並びに包装或いは携帯に便利とすることができる。
【００１７】
以上の実施例は本発明の範囲を限定するものではなく、以上の実施例及び図面の記載に基づきなしうる細部の修飾或いは改変は、いずれも本発明の請求範囲に属するものとする。
【図面の簡単な説明】
【００１８】
【図１】本発明の実施例の立体図である。
【図２】本発明の実施例の局部拡大表示図である。
【図３】本発明の実施例のサポートフレームの収納空間への収納の表示図である。
【図４】本発明の実施例のサポートフレームを平らに折り畳んだ後の表示図である。
【符号の説明】
【００１９】
１  底座                    １０  上表面          １１  枢設部
１２  スライド凹溝          １２０  側壁          １３  係止溝
１４  位置決め孔            １５  平行スライドレール  １６  開口
２  背部サポートフレーム    ２１  結合部              ２２  枢設孔
２３  収納空間              ３  サポートフレーム      ３１  回転軸
３２  位置決め突起          ３３  弾性部品          ４  パネルサポートフレーム
５  タブレットコンピュータ
【図１】
2006072958.tif 000003
【図２】
2006072958.tif 000004
【図３】
2006072958.tif 000005
【図４】
2006072958.tif 000006